【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
音声処理システムであって、
複数の音声信号を受信する複数の入力を備え、前記複数の入力は、ユーザの第１の耳の近傍に配置された第１のトランスデューサからの第１の音声信号を受信する第１の入力と、前記ユーザの第２の耳の近傍に配置された第２のトランスデューサからの第２の音声信号を受信する第２の入力と、前記ユーザの口頭の領域の近傍に配置された第３のトランスデューサからの第３の音声信号を受信する第３の入力とを含み、さらに、
前記複数の入力に結合され、前記第１、第２および第３の音声信号を受信して、前記第１の音声信号および前記第２の音声信号の発話成分を比較して、その比較結果に基づいて、前記発話成分が前記ユーザによって与えられたものかどうかを判断して、前記発話成分が前記ユーザによって与えられたものかどうかを示す音声アクティビティ検出信号を与えるように構成された処理回路を備える、音声処理システム。
【請求項２】
前記処理回路は、前記第１の音声信号および前記第２の音声信号の前記発話成分の強度および位相を比較して、前記発話成分が前記ユーザによって与えられたものかどうかを判断する、請求項１に記載の音声処理システム。
【請求項３】
前記処理回路は、前記第１の音声信号および前記第２の音声信号の前記発話成分の前記強度および前記位相が実質的に同一であることを示す前記比較結果に応答して、前記発話成分が前記ユーザによって与えられたものであると判断する、請求項２に記載の音声処理システム。
【請求項４】
前記処理回路は、さらに、
前記発話成分が前記ユーザによって与えられたものではないという判断に応答して、前記第３の音声信号に対して、ミュートまたは減衰の少なくとも一方を行うように構成される、請求項３に記載の音声処理システム。
【請求項５】
前記第１、第２、および第３のトランスデューサは、マイクロフォンである、請求項３に記載の音声処理システム。
【請求項６】
前記音声処理システムは、挿耳型ヘッドセット、耳装着型ヘッドセットまたは、耳覆い型ヘッドセットのうちの１つである、請求項３に記載の音声処理システム。
【請求項７】
前記処理回路は、前記第１の音声信号および前記第２の音声信号の前記発話成分の少なくとも前記位相が実質的に同一ではないことを示す比較結果に応答して、前記発話成分が前記ユーザによって与えられたものではないと判断する、請求項２に記載の音声処理システム。
【請求項８】
前記複数の入力は、第４のトランスデューサからの第４の音声信号を受信する第４の入力をさらに含み、前記第４のトランスデューサは、前記ユーザの前記第１の耳の近傍でありながら前記第１のトランスデューサよりも前記ユーザの前記第１の耳から遠くに配置され、
前記処理回路は、前記第４の音声信号を受信して、前記第１の音声信号および前記第４の音声信号の発話成分を比較して、その比較結果に基づいて、前記発話成分が前記ユーザによって与えられたものかどうかを判断するように、さらに構成される、請求項１に記載の音声処理システム。
【請求項９】
前記処理回路は、前記第１の音声信号、前記第２の音声信号および前記第４の音声信号の前記発話成分の強度または位相の少なくとも１つを比較して、前記発話成分が前記ユーザによって与えられたものかどうかを判断する、請求項８に記載の音声処理システム。
【請求項１０】
前記処理回路は、前記第１の音声信号および前記第２の音声信号の前記発話成分の前記強度および前記位相が実質的に同一であり、かつ、少なくとも前記第１の音声信号の前記強度が前記第４の音声信号の前記強度よりも実質的に大きいことを示す前記比較結果に応答して、前記発話成分が前記ユーザによって与えられたものであると判断する、請求項９に記載の音声処理システム。
【請求項１１】
音声処理システムであって、
複数の音声信号を受信する複数の入力を備え、前記複数の入力は、ユーザの第１の耳の近傍に配置された第１のトランスデューサからの第１の音声信号を受信する第１の入力と、前記ユーザの前記第１の耳の近傍であるが前記第１のトランスデューサよりも前記第１の耳から遠くに配置された第２のトランスデューサからの第２の音声信号を受信する第２の入力と、前記ユーザの口頭の領域の近傍に配置された第３のトランスデューサからの第３の音声信号を受信する第３の入力とを含み、さらに、
前記複数の入力に結合され、前記第１、第２および第３の音声信号を受信して、前記第１の音声信号と前記第２の音声信号の発話成分を比較して、その比較結果に基づいて、前記発話成分が前記ユーザによって与えられたものかどうかを判断して、前記発話成分が前記ユーザによって与えられたものかどうかを示す音声アクティビティ検出信号を与えるように構成された処理回路を備える、音声処理システム。
【請求項１２】
前記処理回路は、前記第１の音声信号および前記第２の音声信号の前記発話成分の強度または位相のうちの少なくとも１つを比較して、前記発話成分が前記ユーザによって与えられたものかどうかを判断する、請求項１１に記載の音声処理システム。
【請求項１３】
前記処理回路は、少なくとも前記第１の音声信号の前記発話成分の前記強度が前記第２の音声信号の前記発話成分の前記強度よりも実質的に大きいことを示す比較結果に応答して、前記発話成分が前記ユーザによって与えられたものであると判断する、請求項１２に記載の音声処理システム。
【請求項１４】
前記処理回路は、さらに、
前記発話成分が前記ユーザによって与えられたものではないという判断に応答して、前記第３の音声信号に対して、ミュートまたは減衰の少なくとも一方を行うように構成される、請求項１３に記載の音声処理システム。
【請求項１５】
前記第１、第２、および第３のトランスデューサは、マイクロフォンであり、
前記音声処理システムは、挿耳型ヘッドセット、耳装着型ヘッドセットまたは、耳覆い型ヘッドセットのうちの１つである、請求項１３に記載の音声処理システム。
【請求項１６】
前記処理回路は、少なくとも前記第１の音声信号の前記発話成分の前記強度が前記第２の音声信号の前記発話成分の前記強度よりも実質的に大きくないことを示す比較結果に応答して、前記発話成分が前記ユーザによって与えられたものではないと判断する、請求項１２に記載の音声処理システム。
【請求項１７】
前記処理回路は、前記第１の音声信号の前記発話成分が前記第２の音声信号の前記発話成分よりも時間的に実質的に早く到達したことを示す比較結果に応答して、前記発話成分が前記ユーザによって与えられたものではないと判断する、請求項１１に記載の音声処理システム。
【請求項１８】
音声処理方法であって、
ユーザの第１の耳の近傍に配置された第１のトランスデューサから第１の音声信号を受信することと、
前記ユーザの第２の耳の近傍、または、前記ユーザの前記第１の耳の近傍でありながら前記第１のトランスデューサよりも前記ユーザの前記第１の耳から遠くに配置された第２のトランスデューサから第２の音声信号を受信することと、
前記ユーザの口頭の領域の近傍に配置された第３のトランスデューサから第３の音声信号を受信することと、
前記第１の音声信号および前記第２の音声信号の発話成分を比較することと、
比較結果に基づいて、前記発話成分が前記ユーザによって与えられたものかどうかを判断することと、
前記発話成分が前記ユーザによって与えられたものかどうかを示す音声アクティビティ検出信号を与えることとを備える、音声処理方法。
【請求項１９】
前記第２のトランスデューサは、前記ユーザの前記第２の耳の近傍に配置され、
前記第１の音声信号および前記第２の音声信号の発話成分を比較することは、前記第１の音声信号および前記第２の音声信号の前記発話成分の強度および位相を比較することを含み、
前記比較結果に基づいて、前記発話成分が前記ユーザによって与えられたものかどうかを判断することは、前記第１の音声信号および前記第２の音声信号の前記発話成分の前記強度および前記位相が実質的に同一であることを示す前記比較結果に応答して、前記発話成分が前記ユーザによって与えられたものであると判断することを含む、請求項１８に記載の方法。
【請求項２０】
前記第２のトランスデューサは、前記ユーザの前記第１の耳の近傍でありながら前記第１のトランスデューサよりも前記ユーザの前記第１の耳から遠くに配置され、
前記発話成分を比較することは、前記第１の音声信号および前記第２の音声信号の前記発話成分の少なくとも前記強度を比較することを含み、
前記比較結果に基づいて、前記発話成分が前記ユーザによって与えられたものであると判断することは、前記第１の音声信号の前記強度が前記第２の音声信号の前記強度よりも実質的に大きいことを示す前記比較結果に応答して、前記発話成分が前記ユーザによって与えられたものであると判断することを含む、請求項１８に記載の方法。